(57)【特許請求の範囲】
【請求項１】
マイクロ流路内の流体の流れをモデル化するモデル化方法であって、
プロセッサが、実行されるプログラムに従って、入力装置に入力された前記マイクロ流路の寸法に基づいて、前記マイクロ流路を、解析対象となる物理量について質点系とみなせる微小素片に仮想的に分割する分割工程と、
プロセッサが、実行されるプログラムに従って、前記分割工程において分割された前記各微小素片について解析対象となる物理量を入出力とするサブシステムを、その物理量を記述する１次元の微分方程式に従ってモデル化する第１のモデル化工程と、
プロセッサが、実行されるプログラムに従って、前記第１のモデル化工程においてモデル化された前記各微小素片のサブシステムのうち、隣接する微小素片のサブシステムの入出力を連接することにより、前記物理量を入出力とする前記マイクロ流路全体のモデルを生成する第２のモデル化工程と、
を含むモデル化方法。
【請求項２】
流体システムを構成する複数のマイクロ流路について、前記分割工程と、前記第１のモデル化工程とを行い、
プロセッサが、実行されるプログラムに従って、前記第２のモデル化工程で生成された複数のマイクロ流路のうち、隣接するマイクロ流路全体のモデルの入出力を連接することにより、流体システム全体のモデルを生成する第３のモデル化工程をさらに含む、
ことを特徴とする請求項１に記載のモデル化方法。
【請求項３】
前記解析対象の物理量には、
流体の流速、圧力、温度、流体中における所定の物質の濃度の少なくとも１つが含まれる、
ことを特徴とする請求項１又は２に記載のモデル化方法。
【請求項４】
請求項１乃至３のいずれか一項に記載のモデル化方法を用いて生成されたマイクロ流路又は流体システムのモデルによって推定される解析対象の物理量に基づいて、プロセッサが、実行されるプログラムに従って、解析対象を解析し、解析結果を記憶装置に記憶する解析方法。
【請求項５】
マイクロ流路内の流体の流れをモデル化するコンピュータに、
前記マイクロ流路を、解析対象となる物理量について質点系とみなせる微小素片に仮想的に分割する分割手順と、
前記分割手順において分割された前記各微小素片について解析対象となる物理量を入出力とするサブシステムを、その物理量を記述する１次元の微分方程式に従ってモデル化する第１のモデル化手順と、
前記第１のモデル化手順においてモデル化された前記各微小素片のサブシステムのうち、隣接する微小素片のサブシステムの入出力を連接することにより、前記物理量を入出力とする前記マイクロ流路全体のモデルを生成する第２のモデル化手順と、
を実行させるプログラム。
【発明の詳細な説明】
【技術分野】
【０００１】
本発明は、モデル化方法、解析方法及びプログラムに関する。
【背景技術】
【０００２】
近年、ＭＥＭＳ技術等によって、内径が微細なマイクロ流路が作成可能になってきている（例えば、特許文献１参照）。このようなマイクロ流路を直列又は並列に接続することにより、マイクロ流体回路網が形成され、マイクロ流体回路網から成る流体システムが、医療診断や環境解析、マイクロリアクタ装置などに用いられている。
【０００３】
このような流体システムでは、マイクロ流路内の流体の挙動の変動・バラツキが、医療診断や環境解析の結果に重大な影響を及ぼすことがある。このため、効率の良い流体システムの設計や運用を目的として、マイクロ流路内の流体の状態、より具体的には流速や圧力などの流体の物理量を精度良くかつ簡便に解析・予測できる方法の登場が望まれている。
【０００４】
これに対しマイクロ流路内を流れる流体の圧力や速度など物理量の解析・予測を行う方法には、大きく分けて以下に示すような方法が一般的に用いられてきた。
【０００５】
（１）有限要素法
有限要素法は、流路を３次元に要素分割し、各要素接点の速度（流速）や圧力等を求める。複雑な形状の流路に対応可能で分布定数系の解析を行うのに好適である。
【０００６】
（２）有限差分法
有限差分法は、分割要素が方形形状であるため、曲線形状の流路のモデル作成には工夫が必要であるが、３次元的な速度や圧力分布等の分布定数系の解析を行うことができる。さらに、非定常現象を扱うことができる。
【先行技術文献】
【特許文献】
【０００７】
【特許文献１】特開２００１−２５２８９６号公報
【発明の概要】
【発明が解決しようとする課題】
【０００８】
しかしながら、上述した２つの方法には、以下に示す課題がある。
【０００９】
有限要素法は、マイクロ流路内へ加えられる流体の境界条件を時間的に変更するような場合の解析、例えば、上流から流入する流体の速度を時間的に変更する場合や、下流からの圧力の変動に伴う内部の流体の流れの経時変化等の非定常現象に対応させることが困難で、一定時間毎に境界条件を変えて収束計算をするなどの工夫が必要であり、簡便な方法とは言えない。また、モデル作成（メッシュ生成）作業が面倒であるという不都合がある。
【００１０】
有限差分法は、非定常現象を扱うことはできるが、モデル作成（メッシュ生成）作業に技量を要する。
【００１１】
本発明の対象となるマイクロ流路では、圧力損失が大きく内圧が高くなるため、プラスチックなどの弾性材料であると流路の膨張・変動が起こりやすい。また、表面張力の影響が顕著となり気泡が流路内で局所的に残留しやすくなる。その結果、マイクロ流路を直列又は並列に複数接続したマイクロ流体回路網では、流量や圧力などに空間的な分布が生じるとともに、流量や圧力が時間と共に変動し、非定常現象を伴う場合が多くなる。したがって、マイクロ流体回路網の流れの解析には、構成するマイクロ流路毎に、弾性率などの物性値や残留気泡の有無・量などを容易に設定でき、全体の流体回路網モデルを、技量を要することなく、効率良く作成可能で、かつ非定常現象に対応した解析法が必要となる。
【００１２】
ロボットなど機械要素のリンクから成るモーション系の非定常現象の解析に用いられる方法として、モデルベース解析法がある。この方法では、実デバイスの配置を模して、解析用要素モデルを配置・連結することで、効率良く簡便に全体システムのモデルを作成することができる。ただし、モデルベース解析法は、解析対象をモーション系など連接質点系とみなせる場合に有効である。
【００１３】
一方、マイクロ流路内での流体の流れは、いわゆる分布定数系とみなすことができる。そこで、マイクロ流路内での流体の挙動をモデルベース法で解析・予測するには、分布定数系に適用することができる新たなモデル化手法が必要となる。
【００１４】
本発明は、上記実情に鑑みてなされたものであり、非定常性を有する分布定数系であるマイクロ流路内の流体の物理量変化を高精度かつ容易・簡便に解析することができるモデル化方法、解析方法及びプログラムを提供することを目的とする。
【課題を解決するための手段】
【００１５】
上記目的を達成するために、本発明の第１の観点に係るモデル化方法は、
マイクロ流路内の流体の流れをモデル化するモデル化方法であって、
プロセッサが、実行されるプログラムに従って、入力装置に入力された前記マイクロ流路の寸法に基づいて、前記マイクロ流路を、解析対象となる物理量について質点系とみなせる微小素片に仮想的に分割する分割工程と、
プロセッサが、実行されるプログラムに従って、前記分割工程において分割された前記各微小素片について解析対象となる物理量を入出力とするサブシステムを、その物理量を記述する１次元の微分方程式に従ってモデル化する第１のモデル化工程と、
プロセッサが、実行されるプログラムに従って、前記第１のモデル化工程においてモデル化された前記各微小素片のサブシステムのうち、隣接する微小素片のサブシステムの入出力を連接することにより、前記物理量を入出力とする前記マイクロ流路全体のモデルを生成する第２のモデル化工程と、
を含む。
【００１６】
この場合、流体システムを構成する複数のマイクロ流路について、前記分割工程と、前記第１のモデル化工程とを行い、
プロセッサが、実行されるプログラムに従って、前記第２のモデル化工程で生成された複数のマイクロ流路のうち、隣接するマイクロ流路全体のモデルの入出力を連接することにより、流体システム全体のモデルを生成する第３のモデル化工程をさらに含む、
ようにしてもよい。
【００１７】
また、前記解析対象の物理量には、
流体の流速、圧力、温度、流体中における所定の物質の濃度の少なくとも１つが含まれる、
こととしてもよい。
【００１８】
本発明の第２の観点に係る解析方法は、
本発明のモデル化方法を用いて生成されたマイクロ流路又は流体システムのモデルによって推定される解析対象の物理量に基づいて、プロセッサが、実行されるプログラムに従って、解析対象を解析し、解析結果を記憶装置に記憶する。
【００１９】
本発明の第３の観点に係るプログラムは、
マイクロ流路内の流体の流れをモデル化するコンピュータに、
前記マイクロ流路を、解析対象となる物理量について質点系とみなせる微小素片に仮想的に分割する分割手順と、
前記分割手順において分割された前記各微小素片について解析対象となる物理量を入出力とするサブシステムを、その物理量を記述する１次元の微分方程式に従ってモデル化する第１のモデル化手順と、
前記第１のモデル化手順においてモデル化された前記各微小素片のサブシステムのうち、隣接する微小素片のサブシステムの入出力を連接することにより、前記物理量を入出力とする前記マイクロ流路全体のモデルを生成する第２のモデル化手順と、
を実行させる。
【発明の効果】
【００２０】
この発明によれば、非定常性を有する分布定数系であるマイクロ流路を、それぞれを質点系とみなせる複数の微小素片のサブシステムに分割し、隣接するサブシステムの入出力を連接する。このようにすれば、マイクロ流路内の流体の流れを正確に再現するモデルを構築することができる。このため、非定常性を有する分布定数系であるマイクロ流路内の流体の物理量変化を高精度かつ容易・簡便に解析することができる。
【図面の簡単な説明】
【００２１】
【図１】本発明の実施形態１に係る解析システムの概略的な構成を示すブロック図である。
【図２】図１の解析システムによって実行されるモデル生成プログラムのフローチャートである。
【図３】図１の解析システムの解析対象となるマイクロ流路の構造を模式的に示す図である。
【図４】図３のマイクロ流路を流動微小素片に分割した様子を示す図である。
【図５】図４の流動微小素片のサブシステムを示す図である。
【図６】図５のサブシステムの入出力を連接した様子を示す図である。
【図７】マイクロ流路全体のモデルを示す図である。
【図８】本発明の実施形態２に係る解析システムの解析対象となるマイクロ流路の構造を模式的に示す図である。
【図９】図８のマイクロ流路を流動微小素片に分割した様子を示す図である。
【図１０】解析対象となる流体システムの構成の一例（その１）を示す図である。
【図１１】解析システムによって生成された流体システムの流量のシミュレーションの結果の一例を示す図である。
【図１２】解析システムによって生成された流体システムのモデルの一例を示す図である。
【図１３】図１２に示す流体システムのモデルによる流体の圧力のシミュレーション結果と、実際の計測結果とを比較したグラフである。
【図１４】解析対象となる流体システムの構成のさらなる例を示す図である。
【図１５】図１４に示す流体システムにおける試薬の濃度変化を示すグラフである。
【図１６】分岐を有する流体システムの構成の一例を示す図である。
【図１７】図１６の流体システム全体のモデルを示す図である。
【図１８】図１７のモデルにおける流速の変化を示すグラフである。
【図１９】流体システム全体のモデルの一例を示す図である。
【図２０】図１９の流体システムのポンプ部の送液シーケンスを示すグラフである。
【図２１】図１９の流体システムのフローセルでの濃度変化を示すグラフである。
【発明を実施するための形態】
【００２２】
本発明の実施形態について、図面を参照して詳細に説明する。
【００２３】
（実施形態１）
まず、本発明の実施形態１について説明する。
【００２４】
図１には、本実施形態に係るモデル化方法及び解析方法を実現する解析システム１００の構成が示されている。解析システム１００は、流体システムを解析する。解析対象となる流体システムは、微細な内径を有するマイクロ流路及びそれらを直列、並列に接続して構成されるマイクロ流体回路網である。このようなマイクロ流路としては、流体の流れが流路と平行で、近似的に１次元で物理量の変化を表すことができるほど微細である。一方、流路内の流体の圧力によって流路の断面積が動的に拡大・縮小するものが想定されている。
【００２５】
解析システム１００は、コンピュータである。図１に示すように、解析システム１００は、ＣＰＵ１０と、入力部１１と、出力部１２と、記憶部１３とを備える。
【００２６】
ＣＰＵ１０は、解析システム１００のプロセッサ（中央処理装置）である。このＣＰＵがプログラムを実行することにより、解析システム１００がその機能を発揮する。入力部１１は、キーボードやポインティングデバイス等のオペレータの操作入力を受け付ける入力インターフェイスである。出力部１２は、ディスプレイやスピーカ等を含み、ＣＰＵ１０によって実行されるプログラムの実行結果を表示する。
【００２７】
記憶部１３には、モデル生成プログラム２０とモデルプログラム２１と解析プログラム２２とが格納されている。モデル生成プログラム２０は、解析対象のマイクロ流路又はマイクロ流体回路網（流体システム）のモデルを生成するためのプログラムである。ＣＰＵ１０は、モデル生成プログラム２０を実行することにより、流体システムのモデルを生成する。すなわち、ＣＰＵ１０がモデル生成プログラム２０を実行することにより、モデル化方法が実施される。
【００２８】
生成されたモデルは、モデルプログラム２１として、記憶部１３に格納される。ＣＰＵ１０は、モデルプログラム２１を実行することにより、流体システムのモデルとして動作する。このモデルは、流体システムの物理量を推定するために用いられる。
【００２９】
解析プログラム２２は、解析対象となる流体システムを解析するプログラムである。ＣＰＵ１０は、この解析プログラム２２の実行により、モデルプログラム２１を呼び出して実行し、モデルの出力となる物理量を推定し、解析対象である流体システムの物理量の解析を行う。すなわち、ＣＰＵ１０が解析プログラム２２を実行することにより、解析方法が実施される。
【００３０】
図２には、解析システム１００によって実行されるモデル生成プログラム２０の工程が示されている。図２に示すように、ＣＰＵ１０は、マイクロ流路を仮想的な微小素片に分割する（ステップＳ１）。この工程が分割工程に対応する。この微小素片の長さは、微小素片が解析対象となる物理量について質点系とみなせるほどの長さとする。
【００３１】
図３には、本実施形態に係るモデル化方法のモデル化の対象となるマイクロ流路１が示されている。図３に示すように、マイクロ流路１の長さはＬであり、内径はｄである。内径ｄは十分に小さく、長さＬは、内径ｄに対して十分に長くなっている。また、管路の厚さをｅとする。
【００３２】
ここで、マイクロ流路１の長手方向に延びる軸をｘ軸とする。また、ｘ＝０、ｘ＝Ｌをそれぞれマイクロ流路１の端点とする。流体は、ｘ＝０でマイクロ流路１内に流入し、マイクロ流路内を＋ｘ方向に流れ、ｘ＝Ｌから流出する。ここで、マイクロ流路１内を流れる流体の流速をｕ（ｘ，ｔ）とし、その流体に生じる圧力をｐ（ｘ，ｔ）とする。図３に示すように、流体は、＋ｘ方向に流れるので、ｕ（ｘ，ｔ）は、＋ｘ方向をその方向として示しており、ｐ（ｘ，ｔ）は、−ｘ方向をその方向として示している。
【００３３】
上述のように、マイクロ流路１の内径ｄが十分に小さく、長さＬが十分に長ければ、マイクロ流路１内の流体の流れは、以下の式で示す１次元の流体方程式（オイラーの運動方程式、連続の式）で記述することができる。
【数１】
0005900951.tif 000002
ここで、上記式（１）の右辺の第２項は、粘性項であり、ここでは管路抵抗を示す。νは、動粘性係数であり、流体の粘性係数を比重で割ったものである。
【００３４】
また、上記式（２）の右辺におけるａは次式で示される値である。
【数２】
0005900951.tif 000003
ここで、上記式（３）において、Ｋは、マイクロ流路１を流れる流体の縦弾性係数である。また、ｃは流路両端の固定パラメータである。また、Ｅは、マイクロ流路１を構成する配管のヤング率である。αには、上記式（４）に示す値が代入される。また、上記式（４）において、α0は、気泡のボイド率であり、ｐ0は、管内の代表圧力である。このαにより、内部に生じる気泡の影響をモデルに反映させることができる（日本機械学会編「機械工学便覧基礎編α4  流体工学」、第10章  非定常流れ、pp109〜111、丸善(2006) 参照）。
【００３５】
ステップＳ１において、オペレータは、入力部１１を操作して、上記マイクロ流路１の各寸法を入力する。このモデル化方法では、各種寸法が入力されたマイクロ流路１を、微小素片（流動微小素片）に分割する。図４には、マイクロ流路１を流動微小素片２に分割した様子が模式的に示されている。図４に示すように、マイクロ流路１は、長さΔｘの流動微小素片２に分割されている。流動微小素片２を質点系とするため、長さΔｘは、その間で、流体の流速や圧力の変化が無視できる程度の長さとする必要がある。一般に、流体の変化は緩やかであるから、長さΔｘは、ある程度まで長くすることができる。
【００３６】
ここで、ｘ位置ｘk、ｘk+1の間に位置する流動微小素片２に着目する。位置ｘkでの流速、圧力は、ｕ（ｘk，ｔ）、ｐ（ｘk，ｔ）であり、位置ｘk+1での流速、圧力は、ｕ（ｘk+1,ｔ）、ｐ（ｘk+1，ｔ）である。この場合、ｕ（ｘk+1,ｔ）、ｐ（ｘk，ｔ）は、それぞれ以下の式で表される。
【数３】
0005900951.tif 000004
上記式（５）、式（６）は、上記式（１）、式（２）を各流動微小素片２に対応づけ、マイクロ流路１の流路方向に差分化していったものである。
【００３７】
上記式（５）、式（６）から明らかなように、ｕ（ｘk+1、ｔ）と、ｐ（ｘk、ｔ）は、ｕ（ｘk、ｔ）と、ｐ（ｘk+1、ｔ）が決まれば求めることができる。このことから、流動微小素片２は、図５に示すようなサブシステム３にブロック化することができる。
【００３８】
図２に戻り、そこで、ステップＳ１実行後、ＣＰＵ１０は、ステップＳ１において分割された各流動微小素片２を、図５に示すようなサブシステム３にモデル化する（ステップＳ２）。より具体的には、ＣＰＵ１０は、分割された各流動微小素片２について解析対象となる物理量を入出力とするサブシステム３を、その物理量を記述する１次元の微分方程式（上記式（１）、式（２））に基づく上記式（５）、（６）に従ってモデル化する。すなわち、このステップＳ２が、第１のモデル化工程に対応する。
【００３９】
図２に戻り、続いて、ＣＰＵ１０は、モデル化された各流動微小素片２のサブシステム３のうち、隣接する流動微小素片２のサブシステム３の入出力を連接することにより、流体の物理量を入出力とするマイクロ流路１全体のモデルを生成する（ステップＳ３）。すなわち、このステップＳ３が、第２のモデル化工程に対応する。
【００４０】
図６には、各流動微小素片２のサブシステム３の入出力が連接された様子が示されている。これにより、マイクロ流路１全体を現すモデルを構築することができる。なお、図６において、ｍａｘは、マイクロ流路１の分割数である。
【００４１】
図７には、サブシステム３を連接して構築されたマイクロ流路１を１つのブロックにまとめたものが示されている。このシステムでは、ｘ＝０におけるｕ（ｘ，ｔ）（すなわち図６に示すｕ（ｘ0，ｔ））と、ｘ＝Ｌにおけるｐ（ｘ，ｔ）（すなわち図６に示すｐ（ｘmax，ｔ））とを入力とすれば、ｘ＝Ｌにおけるｕ（ｘ，ｔ）（すなわち図６に示すｕ（ｘmax，ｔ））、ｘ＝０におけるｐ（ｘ，ｔ）（すなわち図６に示すｐ（ｘ0，ｔ））が出力される。
【００４２】
解析対象が複数のマイクロ流路１から成る流体システムである場合には、ステップＳ１乃至Ｓ３が、マイクロ流路１の数だけ繰り返され、各マイクロ流路１についてのモデルが生成される。
【００４３】
図２に戻り、続いて、ＣＰＵ１０は、隣接するマイクロ流路１のモデルの入出力を連接して流体システム全体のモデルを生成する（ステップＳ４）。流体システムが、このようなマイクロ流路１を直列又は並列につなぎ合わせたものである場合には、隣接するマイクロ流路１のモデルの入出力を連接することにより、流体システム全体のモデルを構築する。すなわち、このステップＳ４が、第３のモデル化工程に対応する。
【００４４】
すなわち、このようにして、モデル生成プログラム２０が実行され、解析対象となる流体システムのモデルが生成される。生成されたモデルは、モデルプログラム２１として、記憶部１３に格納される。
【００４５】
続いて、ＣＰＵ１０は、解析プログラム２２を実行する。ＣＰＵ１０は、解析プログラム２２の実行中、生成したモデルプログラム２１を実行し、物理量（流速、圧力）の入力に対する物理量の出力を得る。ＣＰＵ１０は、この出力に基づいて、流体システムを解析する。
【００４６】
以上詳細に説明したように、本実施形態によれば、非定常性を有する分布定数系であるマイクロ流路１を、それぞれを質点系とみなせる複数の流動微小素片２のサブシステム３に分割し、隣接するサブシステム３の入出力を連接する。このようにすれば、マイクロ流路１内の流体の流れを正確に再現するモデルを構築することができる。このため、非定常性を有する分布定数系であるマイクロ流路１内の流体の物理量を高精度かつ容易に解析することができる。
【００４７】
（実施形態２）
次に、本発明の実施形態２について説明する。
【００４８】
上記実施形態１では、１次元の流体方程式を用いてマイクロ流路１をモデル化したが、本実施形態では、マイクロ流路１内の熱・物質の拡散を記述する１次元の拡散方程式を用いて、マイクロ流路１をモデル化する場合について説明する。
【００４９】
図８には、本実施形態に係るモデル化方法のモデル化の対象となるマイクロ流路１が示されている。図８に示すマイクロ流路１は、図３に示すものと同じである。ここで、マイクロ流路１内を流れる流体に含まれる所定の物質の濃度をＣ（ｘ，ｔ）とする。
【００５０】
この場合、マイクロ流路１における１次元の拡散方程式は、以下のように記述することができる。
【数４】
0005900951.tif 000005
ここで、Ｄeffは、みかけ上の拡散係数であり、円管の場合、次式で示される。
【数５】
0005900951.tif 000006
ここで、Ｄは拡散係数であり、Ｕは断面平均流速である。
【００５１】
本実施形態でも、マイクロ流路１を、流動微小素片２に分割する（図９参照）。ｘ位置ｘk、ｘk+1の間に位置する流動微小素片２に着目する。位置ｘk+1での濃度Ｃ（ｘk+1、ｔ）は、以下の式で表される。
【数６】
0005900951.tif 000007
【００５２】
上記式（１０）から明らかなように、Ｃ（ｘk+1、ｔ）は、Ｃ（ｘk、ｔ）、Ｃ（ｘk-1、ｔ）と、ｕ（ｘk、ｔ）が決まれば求めることができる。このことから、流動微小素片２についても、Ｃ（ｘk、ｔ）、Ｃ（ｘk-1、ｔ）と、ｕ（ｘk、ｔ）を入力とし、Ｃ（ｘk+1、ｔ）を出力とするサブシステム３にブロック化することができる。
【００５３】
そして、このサブシステム３の入出力を連接することにより、マイクロ流路１のモデルを生成することができる。さらに、マイクロ流路１のモデルの入出力を連接することにより、流体システム全体のモデルを生成することができる。
【００５４】
本実施形態に係る解析システム１００は、上記実施形態１と同様に、図２に示すモデル生成プログラム２０を実行して、流体システム全体のモデルを生成し、流体システムの解析に用いることができる。
【００５５】
次に、本実施形態に係る解析システム１００を用いた様々な流体システムの解析例について説明する。
【００５６】
（流体システムの例その１）
図１０には、流体システムの構成の一例が示されている。図１０に示すように、この流体システムでは、シリンジポンプ３０が、剛性管３１に接続されている。さらに、剛性管３１が、急縮小管３２を介して弾性管３３の一端に接続されている。弾性管３３の他端は、急縮小管３４を介して微小管３５に接続されている。
【００５７】
微小管３５は、急拡大管３６に接続されている。弾性管３３は、中を流れる流体の内圧によって断面積が拡大する。微小管３５は、剛性が高く、かつ、圧力損失が小さくなっている。
【００５８】
シリンジポンプ３０によりステップ状に配管に流量を与えた場合の弾性管３３の内部の流量の変化を解析システム１００を用いて予測した。ここでは、弾性管３３を１０等分した位置（１）〜（１０）についての流量の変化をそれぞれ予測した。
【００５９】
図１１には、各位置での流量の変化の予測結果が示されている。図１１に示すように、弾性管３３の入り口付近から、徐々に内部圧力により断面積が増加し、弾性管３３の出口に向かうにつれて流量の立ち上がりに遅れが発生しているのがわかる。
【００６０】
上述のように、この例に係る流体システムは、シリンジポンプ３０→剛性管３１→急縮小管３２→弾性管３３→急縮小管３４→微小管３５と接続されたシステムである。解析システム１００は、この流体システムについて、図１２に示すようなモデルを生成する。図１２に示すように、解析システム１００は、剛性管３１のモデル５０、剛性管３１の内部に発生する気泡のモデル５１、急縮小管３２、３４のモデル５２、弾性管３３のモデル５３、微小管３５のモデル５４、急拡大管３６のモデル５５をそれぞれ生成する。そして、解析システム１００は、隣接するモデルの入出力を連接する。これにより、図１２に示すような流体システムのモデルが生成される。気泡のモデル５１は、コネクタ部分や圧力センサの分岐管の部分に気泡が残っていることを想定して生成されたものである。
【００６１】
図１３には、図１２に示す流体システムのモデルによる流体の圧力のシミュレーション結果と、実際の計測結果とを比較したグラフが示されている。６．６７μＬ／ｓと３．３３μＬ／ｓとの２つの流量で、圧力を計測し、解析システム１００によるシミュレーションとを行った。図１３に示すように、２つの流量ともに、計測とシミュレーション結果とは良く一致しているのがわかる。すなわち、解析システム１００によって生成されたモデルでは、弾性管３３の拡大や気泡の収縮による微小管３５での流量の立ち上がりの遅れや、圧力の大きさなどが正確に再現されている。
【００６２】
（流体システムの例その２）
図１４には、解析対象となる流体システムの構成のさらなる例が示されている。図１４に示すように、この流体システムでは、インジェクタ６１から、バルブ６２を介して、管６３内に色素、例えばウラニンを一定量導入する。そして、色素の先端部分が拡散しない状態でバルブ６２をシリンジポンプ６０に切り替えて、一定流速で検出箇所まで送液する。検出箇所には、照明機器６５とカメラ６６とが設置されている。検出箇所では、管６３は透明となっている。検出箇所は、照明機器６５によって照明され、カメラ６６によって撮像される。その撮像信号は、コンピュータ６７に出力される。コンピュータ６７は、入力した撮像信号に基づく画像により、検出箇所での色素濃度の時間変化を取得する。溶液は、回収部６４に回収される。
【００６３】
層流では、管６３内の流速分布は放射状となる。物質は、流体が流れる方向に対流で分散する。それによって生じた径方向の濃度分布により、径方向には分子分散→流れ方向に対する見かけ上の拡散係数を用いて１次元の拡散方程式で記述可能となる。したがって、管６３内の色素物質の濃度変化も解析システム１００で、シミュレーションすることが可能となる。そこで、この拡散現象を実験結果と解析システム１００とで比較した。
【００６４】
図１５には、図１４に示す流体システムにおける検出箇所でのウラニンの濃度変化が２通り示されている。マークは計測結果を示し、ラインはシミュレーション結果を示す。図１５では、２つの流速条件で色素濃度の立ち上がりが示されている。図１５に示すように、シミュレーション結果における濃度の立ち上がり時期や立ち上がりの勾配は、計測結果と良く一致している。
【００６５】
（流体システムの例その３）
図１６には、解析対象となる流体システムの構成のさらなる例が示されている。図１６に示すように、この流体システムは、２つのシリンジポンプ７０と、管７２と、コネクタ７３と、４分岐部７４と、管７５と、４つのＹ字型マイクロ混合デバイス７６と、管７７と、回収部７８とで構成されている。
【００６６】
このように、この流体システムは、Ｙ字型マイクロ混合デバイス７６を４つ並べ、試薬等を混合するために設けられたものである。ここで、試薬等が混合される。各Ｙ字型マイクロ混合デバイス７６の下流には、長さの異なる管７７が接続されている（５００、６００、７００、８００ｍｍ）。上流側の一方の管７２には、気泡部７１が設定されている。
【００６７】
図１７には、図１６の流体システムを解析システム１００でモデル化することにより生成される流体システムのモデルが示されている。このモデルでは、モデル８０がシリンジポンプ７０に対応し、モデル８２、８３が管７２等による管路に対応し、モデル８４が４分岐部７４に対応し、モデル８５がＹ字型マイクロ混合デバイス７６に対応する。
【００６８】
図１８には、図１７のモデルにより得られる各管７７における流速の立ち上がりが示されている。図１８に示すように、長さの異なる管７７には、圧力抵抗に差異が出る。また、気泡の影響で、出口で濃度の立ち上がりに遅れが発生する。図１７のモデルによるシミュレーションでは、これらの特性が、精度良く再現されている。
【００６９】
（流体システムの例その４）
図１９には、解析対象となる流体システムの構成のさらなる例が示されている。この流体システムは、試薬を試料に混合し、発色反応生成物を生成するためのものである。図１９に示すように、この流体システムは、ポンプシーケンサ９０、洗浄液用ポンプ９１、試料用ポンプ９２、試薬用ポンプ９３、マイクロ流路９４、マイクロミキサ９５、反応用流路９６、フローセル９７を構成要素としている。
【００７０】
ここで、試薬、試料、洗浄液を図２０に示すシーケンスに沿って導入した場合について考える。解析システム１００は、このようなシーケンスを入力とすれば、例えば、図２１に示すようなフローセル９７での各液の濃度変化を解析結果として出力することができる。
【００７１】
なお、上記実施形態において、実行されるプログラムは、フレキシブルディスク、ＣＤ−ＲＯＭ（Compact Disc Read-Only Memory）、ＤＶＤ（Digital Versatile Disc）、ＭＯ（Magneto-Optical Disc）等のコンピュータ読み取り可能な記録媒体に格納して配布し、そのプログラムをインストールすることにより、上述のプログラムを実行するシステムを構成することとしてもよい。
【００７２】
また、プログラムをインターネット等の通信ネットワーク上の所定のサーバ装置が有するディスク装置等に格納しておき、例えば、搬送波に重畳させて、ダウンロード等するようにしてもよい。
【００７３】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【００７４】
この発明は、この発明の広義の精神と範囲を逸脱することなく、様々な実施形態及び変形が可能とされるものである。また、上述した実施形態は、この発明を説明するためのものであり、この発明の範囲を限定するものではない。すなわち、この発明の範囲は、実施形態ではなく、特許請求の範囲によって示される。そして、特許請求の範囲内及びそれと同等の発明の意義の範囲内で施される様々な変形が、この発明の範囲内とみなされる。
【産業上の利用可能性】
【００７５】
本発明は、マイクロ流路において、流体の流れの方向に沿った流速や圧力などの物理量を解析・予測するのに好適である。特に、本発明は、医療診断や環境解析、マイクロリアクタ装置などに用いられる流体システムのマイクロ流体回路網の流体の流れを解析するのに好適である。
【符号の説明】
【００７６】
１    マイクロ流路
２    流動微小素片
３    サブシステム
１０    ＣＰＵ
１１    入力部
１２    出力部
１３    記憶部
２０    モデル生成プログラム
２１    モデルプログラム
２２    解析プログラム
３０    シリンジポンプ
３１    剛性管
３２    急縮小管
３３    弾性管
３４    急縮小管
３５    微小管
３６    急拡大管
５０、５１、５２、５３、５４、５５    モデル
６０    シリンジポンプ
６１    インジェクタ
６２    バルブ
６３    管
６４    回収部
７０    シリンジポンプ
７２    管
７３    コネクタ
７４    ４分岐部
７５    管
７６    Ｙ字型マイクロ混合デバイス
７７    管
７８    回収部
８０、８２、８３、８４、８５    モデル
９０    ポンプシーケンサ
９１    洗浄液用ポンプ
９２    試料用ポンプ
９３    試薬用ポンプ
９４    マイクロ流路
９５    マイクロミキサ
９６    反応用流路
９７    フローセル
１００    解析システム
【図１】
0005900951.tif 000008
【図２】
0005900951.tif 000009
【図３】
0005900951.tif 000010
【図４】
0005900951.tif 000011
【図５】
0005900951.tif 000012
【図６】
0005900951.tif 000013
【図７】
0005900951.tif 000014
【図８】
0005900951.tif 000015
【図９】
0005900951.tif 000016
【図１０】
0005900951.tif 000017
【図１１】
0005900951.tif 000018
【図１２】
0005900951.tif 000019
【図１３】
0005900951.tif 000020
【図１４】
0005900951.tif 000021
【図１５】
0005900951.tif 000022
【図１６】
0005900951.tif 000023
【図１７】
0005900951.tif 000024
【図１８】
0005900951.tif 000025
【図１９】
0005900951.tif 000026
【図２０】
0005900951.tif 000027
【図２１】
0005900951.tif 000028